(57)【要約】【課題】主表示（背景）の透過やピクトの大きさの制御に対応して、より良い操作性を実現できる携帯端末およびその制御方法を提供する。【解決手段】主表示（背景）の有無を判別して、表示エリアと、ピクトの拡大表示の有無を判断して、判断結果に応じて、ピクト等の表示部１０４への表示を制御し、ピクトの透過指示の有無をさらに判断して、ピクト等の表示部１０４への表示を制御し、主表示（背景）があると判別し、ピクトの透過指示があり、ピクトの拡大表示であると判別した場合に、ピクトを拡大表示させ、主表示（背景）がないと判別した場合、または、主表示があってもピクトの透過指示がなく、またはピクトの拡大指示がない場合にはピクトを通常サイズで表示させる制御部１０６を有する。【選択図】図１
2006251569.tif 000002
【特許請求の範囲】
【請求項１】
表示部と、前記表示部における少なくとも主表示とピクト表示との表示を制御する制御部とを備える携帯端末であって、
前記制御部は、前記主表示の有無を判別して、表示エリア内の前記ピクトの大きさを制御する
ことを特徴とする携帯端末。
【請求項２】
前記制御部は、
前記主表示があると判別し、ピクトの拡大表示指示があると判別した場合に、ピクトを拡大表示させ、
前記主表示がないと判別した場合、または、前記主表示があってもピクトの拡大表示指示がない場合にはピクトを通常サイズで表示させる
ことを特徴とする請求項１に記載の携帯端末。
【請求項３】
前記制御部は、前記ピクトの透過指示の有無をさらに判断して、表示を制御する
ことを特徴とする請求項１に記載の携帯端末。
【請求項４】
前記制御部は、
前記主表示があると判別し、ピクトの透過指定があり、ピクトの拡大表示があると判別した場合に、ピクトを拡大表示させ、
前記主表示がないと判別した場合、または、前記主表示があってもピクトの透過指示がない場合、あるいは前記ピクトの拡大表示指示がない場合にはピクトを通常サイズで表示させる
ことを特徴とする請求項３に記載の携帯端末。
【請求項５】
表示部における少なくとも主表示とピクト表示との表示を制御する携帯端末の制御方法であって、
前記主表示の有無を判別する第１ステップと、
前記第１ステップの判別結果に応じて、表示エリア内の前記ピクトの大きさを判断する第２ステップと、
前記第２ステップの判断結果に応じて前記表示部におけるピクト表示制御を行う第３ステップと
を有することを特徴とする携帯端末の制御方法。
【発明の詳細な説明】
【技術分野】
【０００１】
本発明は、携帯電話機等の携帯端末に係り、特に、ＬＣＤ等の表示部への表示項目の制御に関するものである。
【背景技術】
【０００２】
近年、携帯電話機等で携帯端末は、特許文献１に開示されるように、着信や電池容量や電波状態等の携帯電話の動作状態を表す図形（ピクトグラム）を表示するピクト部を設けて、ユーザーに携帯電話の動作状態を報知している。
【０００３】
また、携帯電話機等の携帯端末においては、ピクト部には待ち受け、カメラ撮影等の種々の動作状態の画面においても表示させているが、背景の透過やピクトの大きさの制御をして、より良い操作性を提供しようとする試みがある。
【特許文献１】特開２００４−７１４４号公報
【発明の開示】
【発明が解決しようとする課題】
【０００４】
ところで、ピクト表示は、通常、表示画面中に設定されたピクトエリアを使用して表示させるのであるが、上述したように、画面ごとに電池残量やアンテナ用ピクトのサイズが異なる場合、各画面を担当するアプリケーションがサイズを指定する必要があり、処理が煩雑となるという不利益がある。
【０００５】
本発明の目的は、主表示（背景）の透過やピクトの大きさの制御に対応して、より良い操作性を実現できる携帯端末およびその制御方法を提供することにある。
【課題を解決するための手段】
【０００６】
本発明の第１の観点の携帯端末は、表示部と、前記表示部における少なくとも主表示とピクト表示との表示を制御する制御部とを備える携帯端末であって、前記制御部は、前記主表示の有無を判別して、表示エリア内の前記ピクトの大きさを制御する。
【０００７】
好適には、前記制御部は、前記主表示があると判別し、ピクトの拡大表示指示があると判別した場合に、ピクトを拡大表示させ、前記主表示がないと判別した場合、または、前記主表示があってもピクトの拡大表示指示がない場合にはピクトを通常サイズで表示させる。
【０００８】
好適には、前記制御部は、前記ピクトの透過指示の有無をさらに判断して、表示を制御する。
【０００９】
好適には、前記制御部は、前記主表示があると判別し、ピクトの透過指示があり、ピクトの拡大表示があると判別した場合に、ピクトを拡大表示させ、前記主表示がないと判別した場合、または、前記主表示があってもピクトの透過指示がなく、あるいは前記ピクトの拡大表示指示がない場合にはピクトを通常サイズで表示させる。
【００１０】
本発明の第２の観点は、表示部における少なくとも主表示とピクト表示との表示を制御する携帯端末の制御方法であって、前記主表示の有無を判別する第１ステップと、前記第１ステップの判別結果に応じて、表示エリア内の前記ピクトの大きさを判断する第２ステップと、前記第２ステップの判断結果に応じて前記表示部におけるピクト表示制御を行う第３ステップとを有する。
【発明の効果】
【００１１】
本発明によれば、主表示（背景）の透過やピクトの大きさの制御に対応して、より良い操作性を実現できる。
【発明を実施するための最良の形態】
【００１２】
以下、本発明の実施形態について、図面に関連付けて説明する。
【００１３】
図１は、本実施形態に係る携帯電話機の構成例を示すブロック図である。
本実施形態おいては、携帯端末として携帯電話機を例に説明する。
【００１４】
本実施形態の携帯電話機１０は、図１に示すように、通信処理部１０１、メモリ部１０２、キー操作部１０３、表示部１０３、音声処理部１０５、および制御部１０６を有する。
【００１５】
通信処理部１０１は、図示しない基地局との間の無線通信に関する処理を行う。たとえば、制御部１０６で処理された音声情報や電子メール等の各種情報に所定の変調処理を施して無線信号を生成し、これをアンテナから送出させる。
また、通信処理部１０１は、基地局から無線により送信され、アンテナで受信された信号に所定の復調処理を施して音声情報や電子メール等の各種情報を再生し、制御部１０６に出力する。
【００１６】
メモリ部１０２は、たとえばＳＲＡＭ（Static Randam Access Memory）や不揮発性メモリであるフラッシュメモリ等のメモリを含んでおり、制御部１０６の処理過程で利用される一時的なデータを記憶する。たとえば、制御部１０６のプログラム等を記憶する。
また、メモリ部１０２は、制御部１０６において種々の処理（通話処理、電子メールの送受信処理、インターネットの閲覧処理など）を実行させるためのプログラムや、これらの処理によって取得される送受信メール、発着信履歴、アドレス帳など、電源オフ後も保持が必要な種々の情報を記憶する。
すなわち、メモリ部１０２には、オペレーティングシステムやネイティブプログラムなど各種プログラム、（ＢＲＥＷ）実行環境プログラム、（ＢＲＥＷ）アプリケーションプログラム、および各種データも格納される。
【００１７】
キー操作部１０３は、終了（終話）／電源キー、開始（発呼）キー、数字キーや記号キーなど、各種の入力情報に対応したキーを有し、これらのキーに押下等の入力操作が行われた場合、この操作に応じた信号を発生して制御部１０６に出力する。
【００１８】
表示部１０４は、制御部１０６の制御に基づいて種々の情報を表示する。たとえば、液晶ディスプレイパネル（ＬＣＤ）や有機ＥＬパネルなどの表示デバイスを有しており、待ち受け状態における画像や、電話番号，電子メール等のテキストデータなど、制御部１０６より供給される表示データに応じた種々の情報を表示する。
表示部１０４は、着信や電池容量や電波状態等の携帯電話の動作状態を表す図形（ピクトグラム）を表示するピクト部を有し、ユーザーに携帯電話の動作状態を報知している。
【００１９】
図２〜図４は、本実施形態の携帯電話機における表示部の画面イメージを示す図である。
図２および図４は通常サイズのピクト表示時の画面イメージを示し、図３は拡大ピクト表示時の画面イメージを示している。
図に示すように、表示部１０４には、ピクト表示を行うためのピクトエリア１０４１が設けられており、画面ごとに電池残量ピクト１０４１１やアンテナ用ピクト１０４１２が表示される。
そして、アプリケーションの指示に応じて、制御部１０６の制御の下、図２および図４に示すように、通常サイズのピクトを表示したり、図３に示すように、拡大ピクトを表示する。
【００２０】
音声処理部１０５は、音声処理回路を有し、通話機能のために音声入力を行うマイクロフォンと音声出力を行うスピーカが接続されている。
音声処理部１０５は、マイクロフォンにおいて音から変換された電気的な音声信号に増幅、アナログ−デジタル変換、符号化等の信号処理を施して音声データを生成し、これを制御部１０６に出力する。
また、音声処理部１０５は、制御部１０６より供給される音声データに復号化、デジタル−アナログ変換、増幅等の信号処理を施して音声信号を生成し、これをスピーカから音として出力させる。
【００２１】
制御部１０６は、メモリ部１０２に格納されるプログラムに基づいて処理を実行するマイクロコンピュータを主体として構成され、携帯電話機１０の全体的な動作に関する種々の処理を行う。
たとえば、制御部１０６は、音声による通話や電子メールの送受信などの通信に関する処理として、所定の通信プロトコルに基づいて通信処理部１０１の送受信を制御する。
また、制御部１０６は、ユーザインタフェースに関わる処理として、音声通話を行う際に音声処理部１０５との間で音声データを入出力する処理や、表示部１０４に各種の情報を表示させる処理、キー操作部１０３からの情報の入力処理などを行う。さらに、こうした種々の処理の過程で、メモリ部１０２に適宜アクセスし、データの読み出しや書き込みを行う。
【００２２】
制御部１０６は、主表示（背景）の有無を判別して、表示エリア内ピクトの拡大表示の有無を判断して、判断結果に応じて、ピクト等の表示部１０４への表示を制御する。
制御部１０６は、ピクトの透過指示の有無をさらに判断して、ピクト等の表示部１０４への表示を制御する。
制御部１０６は、主表示（背景）があると判別し、ピクトの透過指示があり、ピクトの拡大表示であると判別した場合に、ピクトを拡大表示させる。
制御部１０６は、主表示（背景）がないと判別した場合、または、主表示があってもピクトの透過指示がなく、またはピクトの拡大指示がない場合にはピクトを通常サイズで表示させる。
【００２３】
このように、制御部１０６は、ピクト表示の切替の判定をアプリケーションだけではなく、いわゆるサービス層でも制御する方法を採用している。
制御部１０６は、サービス層にて描画要求を受け取った場合に、その要求内容をチェックし、指定された表示バッファの種別から表示すべきピクトのサイズが明らかに確定している場合は、アプリケーション側の指定がなくともピクトサイズの切り替えを実施する。
【００２４】
以下に、本実施形態が対象とする画面描画方式について説明する。
図５および図６は表示画面作成の際の表示エリアバッファを図であって、図５はピクトエリアバッファと通常エリアバッファを用いる場合を示す図であり、図６はフルエリアバッファを用いる場合を示す図である。
【００２５】
携帯電話機１０の表示部１０４における画面は大別して、基本的には図２に示すように、ピクトエリアＰＡＲＡと通常エリアＮＡＲＡに分けられる。
ピクトエリアＰＡＲＡには基本的にはピクトしか描画されることはないが、待受け画面など限定されたシーンではピクトの下に主表示としての背景（壁紙）が透過表示される。
そのため、表示画面作成の際には、図５および図６に示すようなピクトエリアバッファ２０１、通常エリアバッファ２０２、フルエリアバッファ２０３の３つのバッファを使用して行われる。
【００２６】
たとえば、待受け画面のようにピクトエリアＰＡＲＡにピクト以外を描画する必要がある画面では、ピクトエリアバッファ２０１、通常エリアバッファ２０２、フルエリアバッファ２０３の３つを使用する。
具体的には、フルエリアバッファ２０３に対して、ピクトエリアバッファ２０１と通常エリアバッファ２０２を重ねあわせることにより表示画面を作成する。
ピクトエリアＰＡＲＡにピクトしか描画しない場合はピクトエリアバッファ２０１と通常エリアバッファ２０２のみ使用する。
これらの使用するバッファの指定は、たとえば各画面を制御するアプリケーションがサービス層に対して行うものとする。
【００２７】
また、フルエリアバッファ２０３を使用するがピクトエリアＰＡＲＡにピクトしか描画しない場合でも、別途ピクトエリア非透過を指定することもできるものとする。
【００２８】
上述の描画方式を持つ携帯電話機のプログラムにおける拡大ピクト表示方法ついて以下に述べる。
【００２９】
図７は、画面描画時に拡大ピクト表示を行うか否かの処理動作を示すフローチャートである。
ここで、各アプリケーションが画面表示を行う際のピクト描画処理の例を図７のフローチャート、並びに図２〜図４に関連付けて説明する。
【００３０】
図７のフローチャートにおいては、ステップＳＴ１においてフルエリアバッファ２０３が使用されているか否かの判別を行う。
ステップＳＴ１において、フルエリアバッファ２０３が使用されていると判別した場合、ステップＳＴ２においてピクトエリア透過指示（指定）か否かの判別を行う。
ステップＳＴ２において、ピクトエリア透過指示であると判別すると、ステップＳＴ３において、拡大ピクト指定であるか否かの判別を行う。
そして、ステップＳＴ３において拡大ピクト指定であると判別した場合に、ステップＳＴ４においてピクトを拡大表示する。
一方、ステップＳＴ１において、フルエリアバッファ２０３が使用されていないと判別した場合、ステップＳＴ２においてピクトエリア透過指示（指定）でないと判別した場合、または、ステップＳＴ３において、拡大ピクト指定でないと判別した場合は、ステップＳＴ５において通常サイズでピクト表示を行う。
【００３１】
以上の図７の処理を踏まえて、まず、拡大ピクト表示が行われる待受け画面の描画処理について説明する。
【００３２】
この場合、待受け画面を表示するアプリケーション（待受けアプリ）はピクトエリアＰＡＲＡにも背景（壁紙表示を行うため、ビクトエリアバッファ２０１、通常エリアバッファ２０２、フルエリアバッファ２０３の指定を行い、ピクトエリアＰＡＲＡの透過指定有、拡大ピクト指定有を表示情報として設定する。
この処理は、図７のフローチャートにおいて、ステップＳＴ１、ＳＴ２、およびＳＴ３の判別処理でいずれも肯定的判定（ＹＥＳ）となるため、拡大ピクト表示が図３のように行われる。
【００３３】
次に、待受け画面からアドレス帳を起動した場合のアドレス帳の描画処理について説明する。
【００３４】
この場合、アドレス帳画面を表示するアプリケーション（アドレス帳アプリ）はピクトエリアＰＡＲＡに背景（壁紙）等を表示する必要はないため、ピクトエリアバッファ２０１と通常エリアバッファ２０２を指定する。
アドレス帳画面は拡大ピクト、およびピクトエリアの透過は意識しないため、これらの設定は行わない。
この処理は、図７のフローチャートにおいて、ステップＳＴ１の判別処理で否定的判定（ＮＯ）となるため、通常ピクト表示が図２のように行われる。
【００３５】
次に、カメラ撮影画面などピクトエリアにピクト以外のカメラ撮影画像を透過表示するが通常ピクトを表示する画面の描画処理について説明する。
【００３６】
カメラ撮影画面を表示するアプリケーション（カメラアプリ）はピクトエリアＰＡＲＡにも撮影画像を表示するため、ピクトエリアバッファ２０１、通常エリアバッファ２０２、フルエリアバッフ２０３７の指定を行い、ピクトエリアの透過指定有、拡大ピクト指定無を表示情報として設定する。
この処理は、図７のフローチャートにおいて、ステップＳＴ１、ＳＴ２の判別処理で肯定的判定（ＹＥＳ）となり、ステップＳＴ３の判別処理で否定的判定（ＮＯ）となるため通常ピクト表示が図４のように行われる。
【００３７】
以上説明したように、本実施形態によれば、主表示（背景）の有無を判別して、表示エリア内のピクトの拡大表示の有無を判断して、判断結果に応じて、ピクト等の表示部１０４への表示を制御し、ピクトの透過指示の有無をさらに判断して、ピクト等の表示部１０４への表示を制御し、主表示（背景）があると判別し、ピクトの透過指示があり、ピクトの拡大表示であると判別した場合に、ピクトを拡大表示させ、主表示（背景）がないと判別した場合、または、主表示があってもピクトの透過指示がなく、またはピクトの拡大指示がない場合にはピクトを通常サイズで表示させる制御部１０６を有し、ピクトサイズの判定の際に、表示バッファの重ね合わせ指定を判定の基準として用い、ピクトの更新タイミングではなく、画面全体の更新タイミングでピクトの切り替えを実施することから、主表示（背景）の透過やピクトの大きさの制御に対応して、より良い操作性を実現できる利点がある。
【００３８】
具体的には、フルエリアバッファを使用するアプリケーションのみが拡大ピクト有無の指定を行えばよいため、通常のアプリケーションは拡大ピクトを意識する必要がない。
画面更新時にバッファの使用状態をチェックしてピクトの切替を実施するため、画面全体の更新と同時にピクトの切替が実施されることにより、ピクトのみ更新するのと比較してピクトのちらつき等が発生しない。
【００３９】
なお、本発明は上述した実施形態に限定されず、種々の改変が可能である。
【００４０】
上述した実施形態は、本発明を携帯電話機に適用した例を示すものであるが、これに限らず、たとえばＰＤＡ（personal digital assistant）などの種々の携帯通信端末にも本発明は適用可能である。
【図面の簡単な説明】
【００４１】
【図１】本実施形態に係る携帯電話機の構成例を示すブロック図である。
【図２】本実施形態の表示部における通常サイズのピクト表示時の画面イメージを示す図である。
【図３】本実施形態の表示部における拡大ピクト表示時の画面イメージを示す図である。
【図４】本実施形態の表示部における通常サイズのピクト表示時の画面イメージを示す図である。
【図５】表示画面作成の際の表示エリアバッファを図であって、ピクトエリアバッファと通常エリアバッファを用いる場合を示す図である。
【図６】表示画面作成の際の表示エリアバッファを図であって、フルエリアバッファを用いる場合を示す図である。
【図７】画面描画時に拡大ピクト表示を行うか否かの処理動作を示すフローチャートである。
【符号の説明】
【００４２】
１０…携帯電話機、１０１…通信処理部、１０２…メモリ部、１０３…キー操作部、１０４…表示部、１０５…音声処理部、１０６…制御部、２０１…ピクトエリアバッファ、２０２…通常エリアバッファ、２０３…フルエリアバッファ。
【図１】
2006251569.tif 000003
【図２】
2006251569.tif 000004
【図３】
2006251569.tif 000005
【図４】
2006251569.tif 000006
【図５】
2006251569.tif 000007
【図６】
2006251569.tif 000008
【図７】
2006251569.tif 000009